(57)【特許請求の範囲】
【請求項１】
調理済み冷凍食品等を収納するピロー包装袋であって、該ピロー包装袋が、外側から順に、ポリエチレンテレフタレートフィルムと延伸ナイロンフィルムとポリプロピレン系のイージーピールシーラントフィルムとを、それぞれドライラミネート用接着剤を用いて貼り合わせた積層フィルムで形成されると共に、該ピロー包装袋の合掌シールされた背シール中央部に、該ピロー包装袋の内部と外部に通じる弱シール部がヒートシール型に設けられた凹陥部で所定のパターンに形成されてなることを特徴とする電子レンジ用包装袋。
【発明の詳細な説明】
【０００１】
【発明の属する技術分野】
本発明は，包装袋内の蒸気圧が一定のレベルに達すると自動的に開口して破裂が防止される電子レンジ用包装袋に関するものである。
【０００２】
【従来の技術】
調理済み冷凍食品、チルド食品等を包装袋から取り出し食器に移し代えて電子レンジで加熱調理する代わりに、包装袋ごと加熱調理しそのまま食卓に供する場合が多くなってきている。しかるに、密閉した包装容器ごと電子レンジで加熱調理すると、内容物から発生する水蒸気により包装容器が膨張し、破裂して内容物が飛散し、電子レンジあるいはその周辺を汚すばかりか、火傷を負う危険性があるので、包装容器の一部に蒸気の逃がし孔あるいは開口部をハサミ等で開けておくことが必要になるが、その操作は面倒であり、また表示等で徹底させることが難しいため、自動的に蒸気の逃がし孔あるいは開口部が形成される電子レンジ用包装袋が種々提案されている。
実開昭５９−５５１７０号公報には、図４（ａ）に示すように、上面に複数個の通気孔を設け、同孔に着脱自在の密封栓または貼着剥離自在の密封用ラップを装着または貼着した包装容器が提案されている。
また、特開昭６３−１３８９７５号公報には、図４（ｂ）に示すように、袋体の端部シール部の適当な位置に弱シール部を設けた包装容器が提案されている。
さらに、特開平４−４０００５号公報には、図４（ｃ）に示すように、容器をシールするシール線の一部が容器の内側に向かって鋭角的にＶ字状に折れ曲がり、その先端に内部圧力による引っ張り力が集中するようにして開封し易くした包装袋あるいはカップと蓋材からなる包装容器が提案されている。
さらにまた、特開平８−８０９７９号公報には、図４（ｄ）に示すように、電子レンジ加熱により水分が収納物に貼着しないよう吸水紙を挟み込み、さらに内圧によって破裂しないよう、端部シール部に弱シールあるいは非シール等による圧力逃がし部を設けた包装袋が提案されている。
【０００３】
【発明が解決しようとする課題】
しかるに、実開昭５９−５５１７０号公報に記載の包装容器は上面に複数個の通気孔を設けるのはよいが、空気抜き孔に密封栓を装着したりあるいはラップを貼付する操作が面倒であるという問題がある。
さらに、粘着剤、接着剤が食品に接触し、衛生的でないという問題もある。
特開昭６３−１３８９７５号公報に記載の平袋の端部シール部の適当な位置に弱シール部を設けた包装容器は、図４（ｂ）に示すようにトレーごと包装する場合はよいが、トレーを使用しないで平袋直に水分の多い食品を包装すると、液汁が端部シール部から蒸気と一緒に吹き出して来るという問題がある。
特開平４−４０００５号公報に記載の包装容器は、シール線の一部を曲折させるため、余分なシール代を必要とし、包装材料のコスト上昇をまねく問題がある。
特開平８−８０９７９号公報に記載のものは、やはり液汁が端部シール部から蒸気と一緒に吹き出してしまう問題がある。
本発明は、前述の問題点に鑑みてなされたもので、電子レンジによる加熱調理時に、内容物が袋体に直に充填されているにもかかわらず液汁が噴出したり、溢れ出ることがなく、また袋体ごと食卓に供することができ、さらに低コストの電子レンジ用包装袋の提供を目的とする。
【０００４】
【課題を解決するための手段】
前記課題を解決するためになされた本発明は、調理済み冷凍食品等を収納するピロー包装袋であって、該ピロー包装袋が、外側から順に、ポリエチレンテレフタレートフィルムと延伸ナイロンフィルムとポリプロピレン系のイージーピールシーラントフィルムとを、それぞれドライラミネート用接着剤を用いて貼り合わせた積層フィルムで形成されると共に、該ピロー包装袋の合掌シールされた背シール中央部に、該ピロー包装袋の内部と外部に通じる弱シール部がヒートシール型に設けられた凹陥部で所定のパターンに形成されてなることを特徴とする電子レンジ用包装袋からなる。
【０００５】
【発明の実施の形態】
本発明を図面を用いて、更に詳しく説明する。
図１は本発明による電子レンジ用包装袋の外観図である。
本発明による電子レンジ用包装袋１０は図１（ａ）に示す斜視図のように、帯状の長尺フィルム包装材料が流れ方向に縦シール（センターシール）されて背シール部２が形成され、ついで内容物の充填と略同時に内容物の上下あるいは前後で包装材料の流れと直行方向に端部シールが施されて端部シール部３、４が形成される共に切り離されてピロー包装袋１となる。一般に縦シールには封筒貼り方式と合掌シール方式とがあるが、本発明による電子レンジ用包装袋１０は合掌シール方式が採用される。
なお、図１（ａ）において、背シール部２はピロー包装袋１の中央に描かれているが、サイド寄りに若干ずらしてもよい。その方が、もし端部シール部３、４のいずれかを破壊して内容物を取出す場合に、取り出し易くなる
図１（ｂ）は図１（ａ）のｘ−ｘ断面図であって、背シール部２は合掌シールとなっている。また解凍が進んだ段階で、液汁Ｌが下部に溜まった状態を示している。
なお、背シール部２は、本発明による電子レンジ用包装袋１０の端部において、いずれかの方向に倒されて端部シール部３、４と共にシールされてもよいし（背シール部２と端部シール３の重なり部は４重となる）、あるいは背シール部２を倒さないで端部シール部３、４が単独にシールされてもよい。
【０００６】
図２は、背シール部に設けられる弱シール部の説明図である。
本発明による電子レンジ用包装袋１０のポイントは背シール部２にピロー包装袋１の内部と外部に通じる弱シール部５が所定のパターンで形成されることにある。
この弱シール部５が設けられる最適な位置は図１（ａ）で示す背シール部２の中央部Ａである。この部分は電子レンジで加熱調理する場合に最も高い位置にあるため、加熱水蒸気が背シール部２の一部を破壊して噴出しても、中身の液汁Ｌまでは噴出しない。
背シール部２に設けられる弱シール部５の形状は図２に示すように、ピロー包装袋１の内部と外部に通じるものであれば図２（ａ）〜（ｃ）に示すようないかなる形状を採用してもよく、また図２（ｄ）に示すように、完全に内部と外部に通じなくとも僅かな背シール部２を残して弱シール部５が設けられていてもよい。  さらに、図２（ｅ）に示すように不織布６を挟んで背シール部２を形成し、最初から、通気路を形成しておいてもよい。
【０００７】
弱シール部５の形成法は、図２に示すようなパターンのヒートシール型、すなわち弱シール部５のパターン状に凹陥部が形成されているヒートシールジョウを用いて背シール部２を合掌シールすればよい。この場合、パウチ包装材料の内面にはヒートシーラント層が設けてあるためシールジョウによって加熱加圧される斜線で示す部分は強接着するが、加圧されない凹陥部は熱伝導はないものの周辺からの複写熱によって仮接着の状態となる。
従って、電子レンジによる調理の場合、内圧が高まり、あるレベルに達すると背シール部２に内側から張力が作用し、弱シール部５が剥離し、この剥離した間隙を通って加熱水蒸気が噴出する。その噴出が起きる位置はパウチ包装体の最高部にあるため、液汁Ｌの多い食品類であっても、蒸気と一緒に中身が噴き出したり溢れたりすることはなくなる。また中身食品が流動体に近い場合はあらかじめトレイに充填した上で、本発明による電子レンジ用包装袋１０で包装することが好ましいが、それ以外の場合はトレイの使用は却ってオーバーパッケージになり、本発明による電子レンジ用包装袋１０単体の使用が経済的に好ましい。
【０００８】
図３は本発明による電子レンジ用包装袋の開封時の説明図である。
本発明による電子レンジ用包装袋１０は電子レンジによる加熱調理後、背シール部２の略中央に設けられた少なくとも弱シール部５が破壊された状態でそのまま取り出すか、あるいは受け皿の上にのせて取り出される。この破壊された弱シール部５から背シール部２についで一部の端部シール部３、４を開くと図３に示すように開封することができる。このヒートシール部の剥離は、包装材料に適度な張力があり、内面にポリオレフィン系樹脂がシーラントとして使用されている場合に可能であるが、特に剥離性の良好なイージーピールシーラント（ＥＰＳ）層が形成されている包装材料を使用すれば、弱シール部５から図３に示すような状態にまで極めて容易に手で剥離することができる。
また、本発明による電子レンジ用包装袋１０による加熱調理食品は、上部が大きく開封された状態でそのまま食卓に供することが可能となる。その結果、食器洗いの手間が省け、節水できるという効果も生ずる。
本発明による電子レンジ用包装袋１０が対象とする食品は冷凍、チルド調理済み食品以外にも、例えば、未調理の肉、魚、野菜類とタレを充填しておいてもよく、そうすることにより、電子レンジ加熱によって鍋料理に近づけることができる。
【０００９】
本発明による電子レンジ用包装袋１０に使用できる包装材料の積層構成は外側から順に次の通りである。
（一般仕様）
ＯＮ１５／ＤＬ／ＣＰＰ５０（レトルトタイプ）
ＯＮ１５／ＤＬ／ＬＬＤＰＥＦ５０（ボイルタイプ）
ＰＥＴ１２／ＤＬ／ＯＮ１５／ＤＬ／ＣＰＰ５０
ＰＥＴ１２／ＤＬ／ＯＮ１５／ＤＬ／ＬＬＤＰＥＦ５０
（イージーピール仕様）
上記の最内層にポリプロピレン系のＥＰＳフィルムである東燃化学（株）製、ＥＰＬ−１１（２５μｍ，５０μｍ），ＥＰＬ−１３（２５μｍ、５０μｍ）、東セロ（株）製、ＣＭＰＳ  ０１３Ｃ（３０μｍ、５０μｍ）等を使用する。
ここで、各記号は次の素材を意味し、数字はμｍを表している。
ＯＮ          ：延伸ナイロン
ＣＰＰ        ：無延伸ポリプロピレン
ＰＥＴ        ：ポリエチレンテレフタレート
ＬＬＤＰＥＦ  ：直鎖線低密度ポリエチレンフィルム
ＤＬ          ：ドライラミネート接着層
【００１０】
【実施例】
トレーごとピロー包装されて市販されている液汁の比較的多い調理済み冷凍食品を本発明による電子レンジ用包装袋１０に詰め替えて実施例サンプル５個を試作し、背シール部２を上にして、メーカー指定通りの電子レンジ加熱条件（６００Ｗにて３分３０秒）で、加熱調理を行った。
一方比較例サンプルとして、パウチ包装された市販品を５個を用意し、電子レンジによる加熱調理の前に端部シール部に鋏で切り込みを入れた。
また、実施例サンプルには次の仕様のピロー包装袋を用いた。
ピロー包装袋の寸法：  縦２３０×横１６０ｍｍ，
背シール幅        ：  １０ｍｍ
背シール条件      ：  １９０℃、１秒
弱シール部パターン：  図２（ａ）参照
弱シール部幅      ：  １５ｍｍ
積層構成          ：  ＰＥＴ１２／ＤＬ／ＯＮ１５／ＤＬ／ＥＰＬ−１１、２５
以上の条件のもとでの電子レンジ加熱調理テストの結果は、比較例サンプル５個中２個から液汁の噴出がみられたのに対し、実施例サンプルの場合は皆無であった。さらに比較例の場合は背シール部の破壊がなく背シール部からの手による開封が困難であり、中身食品を食器に移さざるを得なかったが、実施例サンプルの場合は図３に示すように上部を手で全開することができた。
【００１１】
【発明の効果】
本発明による電子レンジ用包装袋１０によれば、弱シール部５を設けた背シール部２を上にして電子レンジによる加熱調理を行うことにより、液汁の多い内容物であっても、加熱蒸気とともに噴出したり、溢れ出ることはないので、電子レンジあるいはその周辺を汚すことがなく、清潔なキッチンを保つことができる。
また、鋏等の器具を使用して、その都度切り込みを入れる必要はなく、手間が省ける。
また器具を使用することなく、背シール部２からパウチ包装体１の上部を大きく開封することができることにより、パウチ包装袋ごと食卓に供することができ、食器洗いの手間が省けるとともに、節水という副次的効果が生ずる。
【図面の簡単な説明】
【図１】本発明による電子レンジ用包装袋の外観図
【図２】背シール部に設けられる弱シール部の説明図
【図３】本発明による電子レンジ用包装袋の開封時の説明図
【図４】従来の電子レンジ用包装袋の説明図
【符号の説明】
１      ピロー包装袋
２      背シール部
２’    剥離されたシール部
３、４      端部シール部
５      弱シール部
６      不織布
１０      本発明による電子レンジ用包装袋
Ａ      背シール部の中央部
Ｄ      受皿
Ｆ      加熱調理済み食品
Ｌ      液汁
【図１】
0003802158.tif 000002
【図２】
0003802158.tif 000003
【図３】
0003802158.tif 000004
【図４】
0003802158.tif 000005